(57)【要約】【課題】ソケットレンチの既存のソケットが利用可能で着脱時におけるボルトの脱落を防止する機能を付与したソケットレンチハンドルと、既存のソケットとソケットレンチハンドルが利用可能で着脱時におけるボルトの脱落を防止する機能を付与したソケットレンチハンドルのアタッチメントを提供する。【解決手段】ボルト頭部やナットを収容するソケット６と連結するために設けられた凸状の差込部４と、この差込部４に延設されるハンドル部３とを有するソケットレンチハンドル１において、差込部４の端部には磁石５を具備するものである。【選択図】　図１
2004034206.tif 000002
【特許請求の範囲】
【請求項１】
ボルト頭部やナットを収容するソケットと連結するために設けられた凸状の差込部と、この差込部に延設されるハンドル部とを有するソケットレンチハンドルにおいて、前記差込部の端部には磁石を具備することを特徴とするソケットレンチハンドル。
【請求項２】
前記磁石は、前記差込部に着脱可能であることを特徴とする請求項１に記載のソケットレンチハンドル。
【請求項３】
ボルト頭部やナットを収容するソケットと連結するために設けられた凸状の差込部と、ソケットレンチハンドルの差込部に連結される受口部と、この受口部と前記差込部とを接続する接続部とを有するソケットレンチハンドルのアタッチメントにおいて、前記差込部の端部には磁石を具備することを特徴とするソケットレンチハンドルのアタッチメント。
【請求項４】
前記磁石は、前記差込部に着脱可能であることを特徴とする請求項３に記載のソケットレンチハンドルのアタッチメント。
【発明の詳細な説明】
【０００１】
【発明の属する技術分野】
本発明は、ソケットレンチハンドルとそのアタッチメントに係わり、特にボルト着脱時におけるボルトの脱落を防止するソケットレンチハンドルとそのアタッチメントに関する。
【０００２】
【従来の技術】
一般に、ボルトやナット等の締緩に用いられるソケットレンチは、一つのハンドルにボルト頭部やナットのサイズに対応した種々のソケットを組み合わせることができ、適応範囲が広く利便性の高い工具として知られている。このハンドルとソケットは、ハンドル側に設けた凸形の差込角とソケット側に設けた凹形の受口孔とを嵌合することによって連結され、この受口孔の反対側に設けた収容孔にボルト頭部やナットを収容し、ハンドルを回転することにより、ボルトやナットを締め付けたり、緩めたりすることができる。
【０００３】
また、ハンドルには目的に応じていくつかの種類がある。歯車と爪が内蔵され往復運動で回転力が得られ迅速に作業が行えるラチェットハンドルや、頭部にある差込角の支持体が回転しハンドルを縦方向や横方向の位置で使用できるスピンナハンドルや、ハンドルの任意の位置に差込角が移動可能なＴ形スライドハンドルや、Ｌ形の先端に差込角を設けたオフセットハンドルや、クランクを設けたスピーダーハンドルや、ドライバーの先端に差込角を設けたドライバーハンドルなどがある。さらに、ハンドルとソケットの間に接続されるアタッチメントとして、狭く離れた箇所等の作業のためにハンドルを延長させるエクステンションバーや、角度を変えて斜めでの作業が行えるジョイント等がある。
【０００４】
上記のハンドルやアタッチメントを組み合わせたソケットレンチを用いてボルトやナットを着脱する際には、これらの締具が脱落することがしばしばある。特に、狭く離れた箇所の作業では脱落した締具を回収するのに時間と労力を要すので、このような不具合は作業効率を低下させる要因の一つになっている。そこで、ソケット内にボルトやナット等を保持できるソケットレンチが考えられている。
【０００５】
例えば、特開平９−１０９０４５号公報（以下、イ号公報という。）には、「ソケットレンチ」として「ソケットレンチの先端に設けられた頭付ボルトのボルト頭収容部に、外方から肉厚部を貫通してこのボルト頭収容部の内側に連通する１以上の第１磁石嵌着孔を設け、この第１磁石嵌着孔に第１永久磁石を嵌着したことを特徴とする」発明が開示されている。このイ号公報に開示された発明では、上面に凹みがあるボルトやボルト頭の薄いものでもソケットに設けた磁石によって確実にソケット内に保持することができ、さらに、座金保持筒を付設することによりばね座金や平座金の保持も可能にしている。
【０００６】
また、実登３０３８８３８号公報（以下、ロ号公報という。）には、「ソケットレンチ」として「頭付ボルトのボルト頭またはナットが嵌合されるソケットの嵌合孔に設けられ、この嵌合孔に嵌合されたボルト頭またはナットの外側面を押圧して頭付きボルトまたはナットの脱落を防止する保持用ばねと、前記ソケットの先端よりも先方に突出するように付勢するコイルばねを介してこのソケットに外嵌され、エクステンションロッドの連結側に押戻されたときに、このソケットに離合自在に掛止されると共に、内部側に吸引力を及ぼす永久磁石を備えたワッシャ保持筒とからなることを特徴とする」発明が開示されている。このロ号公報に開示された発明では、ソケット内に設けた保持用ばねの作用により、厚みの薄いボルトやナットを保持することができ、また、ワッシャ保持筒の作用によりボルトと同時にワッシャを保持することができる。
【０００７】
そして、特開２００１−１８１７５号公報（以下、ハ号公報という。）には、「ソケットレンチ」として「操作ハンドルの先端固定子が入る取付穴を備えたレンチ本体に固定用ボルトの多角形頭部またはボルトに螺合したナットが挿入する接続角穴を設け、接続角穴の周面に形成した円周溝に係離して前記多角形頭部またはナットの脱落を防ぐ欠円ばね線を添設した」発明が開示されている。このハ号公報に開示された発明では、レンチ本体に欠円ばね線を設けるという簡単な方法でボルトを固定し、脱落を防止している。
【０００８】
【発明が解決しようとする課題】
しかしながら、上述の従来の技術においては、確かにイ号公報、ロ号公報およびハ号公報に開示された発明では、ボルトやナットがソケット内に保持できるので着脱時の締具の脱落を防止することができるが、ソケットレンチのソケット側に締具を保持する加工が施されているために、多数あるソケットの各々に対して加工を施さなければならず既存のものが使えないという課題があった。しかも、ソケットには、小型であるので紛失しやすいという課題もあった。
また、イ号公報およびロ号公報では座金等を保持するための保持筒を設けているが、この保持筒の付設によってソケットの外形は大きくなるので、狭い空間での作業が困難になる可能性がある。
【０００９】
本発明はかかる従来の事情に対処してなされたものであり、ソケットレンチの既存のソケットが利用可能で着脱時におけるボルトの脱落を防止する機能を付与したソケットレンチハンドルと、既存のソケットとソケットレンチハンドルが利用可能で着脱時におけるボルトの脱落を防止する機能を付与したソケットレンチハンドルのアタッチメントを提供することを目的とする。
【００１０】
【課題を解決するための手段】
上記目的を達成するため、請求項１記載の発明であるソケットレンチハンドルは、ボルト頭部やナットを収容するソケットと連結するために設けられた凸状の差込部と、この差込部に延設されるハンドル部とを有するソケットレンチハンドルにおいて、差込部の端部に磁石を具備するものである。
上記構成のソケットレンチハンドルは、ソケットと連結してボルトを着脱する際に、差込部の端部に設けた磁石の吸引力によってソケット内に収容されたボルトを保持するという作用を有する。
【００１１】
また、請求項２記載の発明であるソケットレンチハンドルは、請求項１に記載のソケットレンチハンドルにおいて、磁石が差込部に着脱可能であるものである。
上記構成のソケットレンチハンドルは、請求項１に記載の発明の作用に加えて、差込部に容易に磁石を取付けたり取外したりすることができるという作用を有する。
【００１２】
請求項３記載の発明であるソケットレンチハンドルのアタッチメントは、ボルト頭部やナットを収容するソケットと連結するために設けられた凸状の差込部と、ソケットレンチハンドルの差込部に連結される受口部と、この受口部と差込部とを接続する接続部とを有するソケットレンチハンドルのアタッチメントにおいて、差込部の端部に磁石を具備するものである。
上記構成のソケットレンチハンドルのアタッチメントは、ソケットとハンドルを連結させてボルトを着脱する際に、アタッチメントの端部に設けた磁石の吸引力によってソケット内に収容されたボルトを保持するという作用を有する。
【００１３】
また、請求項４記載の発明であるソケットレンチハンドルのアタッチメントは、請求項３に記載のソケットレンチハンドルのアタッチメントにおいて、磁石が差込部に着脱可能であるものである。
上記構成のソケットレンチハンドルのアタッチメントは、請求項３に記載の発明の作用に加えて、差込部に容易に磁石を取付けたり取外したりすることができるという作用を有する。
【００１４】
【発明の実施の形態】
以下に、本発明に係るソケットレンチハンドルの実施の形態を図１および図２に基づき説明する。（請求項１および請求項２に対応）
図１は本実施の形態に係るラチェットハンドルとソケットの外形図である。図１において、本実施の形態におけるラチェットハンドル１は、頭部２とハンドル３からなり、さらに、図示していないが頭部２には歯車と爪を具備したラチェット部が内蔵されており、このラチェット部の略中心に差込角４が、そして差込角４の端部には着脱可能な磁石５が設けられている。また、ソケット６ａ，６ｂ，６ｃは、各々、ボルト頭部やナットを収容する収容孔７ａ，７ｂ，７ｃを有しており、これらの大きさはボルト頭部やナットのサイズに対応している。そして、収容孔７ａ，７ｂ，７ｃの反対側には、ラチェットハンドル１の差込角４に対応した受口孔８ａ，８ｂ，８ｃが設けられており、各々、ラチェットハンドル１の差込角４と嵌合できる。
【００１５】
次に図２を用いて、本実施の形態に係るラチェットハンドルの使用時の構造について説明する。図２は本実施の形態に係るラチェットハンドルの使用時の断面図である。図２において、ソケット６はラチェットハンドル１に嵌合され、差込角４に内設されたばね９の先端の球体１０が受口孔８の凹みに掛止して固定されている。そして、六角ボルト１１は収容孔７に収容され、磁石５の吸引力によってソケット６内に保持されている。
【００１６】
ここで、六角ボルト１１をねじ穴に取付ける動作について説明する。六角ボルト１１を収容孔７に収容すると、六角ボルト１１は磁石５によってソケット６内に保持されているので脱落することなく螺着すべき箇所へ運搬することができる。そして、六角ボルト１１の先端をねじ穴に当て、ラチェットハンドル１を締付方向へ回転させると、六角ボルト１１は螺着し始め、やがて、磁石５の吸引力よりもねじ穴からの拘束力が大きくなるので、磁石５から離れてねじ穴への螺着が完了する。
また、逆に六角ボルト１１をねじ穴から取外す場合は、まず、螺着されている六角ボルト１１の頭部を収容孔７に収容して、ラチェットハンドル１を緩み方向へ回転する。六角ボルト１１はねじ穴から外されていき、次第にねじ穴からの拘束力が小さくなるので、磁石５に吸引されてソケット６内に保持される。したがって、この状態で運搬等の作業を行うと六角ボルト１１は脱落しないのである。
【００１７】
このように構成された本実施の形態においては、ラチェットハンドル１の差込角４の端部に設けた磁石５の吸引力によって、取付けあるいは取外す六角ボルト１１をソケット６内に保持することができるので、着脱作業時の六角ボルト１１の脱落を防止することができる。しかも、磁石５をラチェットハンドル１に設けているので既存のソケットを利用して脱落防止機能を有するソケットレンチを提供することができる。
【００１８】
また、磁石５の大きさは差込角４および受口孔８よりも小さく、その外周長さは差込角４の外周長さよりも小さくする必要がある。そして、磁石５の長さは受口孔８の長さと差込角４の長さとの差と同程度にするのが望ましい。ただし、前述のように同一の差込角に対応するソケットにはいくつかのサイズがあり受口孔の長さは数ｍｍ程度異なっている。したがって、ばね等の弾性体を磁石５と差込角４の間に挟装して伸縮自在にしてもよい。また、本実施の形態では磁石５は円柱状の形状を有しているが、四角柱状等の円柱状以外の形状でもよい。
さらに、磁石５の種類については、永久磁石であればどのような材質のものでもよい。なお、磁石５の着脱方法としては、磁石５にフックを設け差込角４に掛止する方法や、差込角４にねじ穴を設け磁石５を螺着する方法等が考えられる。
【００１９】
本実施の形態では磁石５はラチェットハンドル１の差込角４の端部に設けているが、スピンナハンドル、Ｔ形スライドハンドル、オフセットハンドル、スピーダーハンドルおよびドライバーハンドルの差込角の端部に設けてもよい。ただし、オフセットハンドル、スピーダーハンドルおよびドライバーハンドルでは、ラチェットハンドル１の構成要素である頭部２は不要である。また、磁石５は着脱可能であるので、これらの各種ハンドルは磁石５を共用することができる。さらに、使用しない時は磁石５を外しておけば、砂鉄等の磁性体による本体への汚れの付着を防止できる。
【００２０】
続いて、本発明に係るソケットレンチハンドルのアタッチメントの実施の形態を図３および図４に基づき説明する。（請求項３および請求項４に対応）
図３は本実施の形態に係るエクステンションバーの外形図である。図３において、本実施の形態におけるエクステンションバー１２は、ソケットと連結するための差込角１３と、ソケットレンチハンドルの差込角と連結するための受口孔１４と、本体バー１５から構成され、さらに、差込角１３の端部には着脱可能な磁石１６が設けられている。
【００２１】
次に図４を用いて、本実施の形態に係るエクステンションバーの使用時の構造について説明する。図４は、本実施の形態に係るエクステンションバーの使用時の断面図である。図４において、エクステンションバー１２はソケット６に嵌合され、エクステンションバー１２の差込角１３に内設されたばね１７の先端の球体１８がソケット６の受口孔８の凹みに掛止して固定されている。そして、ソケット６との嵌合と同様の方法で、エクステンションバー１２の受口孔１４にはラチェットハンドル１の差込角４が、ばね９の先端の球体１０を掛止して嵌合されている。また、六角ボルト１１は収容孔７に収容され、磁石１６の吸引力によってソケット６内に保持されている。
【００２２】
六角ボルト１１を着脱する動作については、前述のラチェットハンドル１の場合と同様である。すなわち、取付けの際は、磁石１６によりソケット６内保持された六角ボルト１１は脱落することなくねじ穴へ運搬され、ラチェットハンドル１を締付方向へ回転することでねじ穴からの拘束を受け、磁石１６から離れてねじ穴へ螺着されるのである。
また、取外しの際は、螺着されている六角ボルト１１の頭部を収容孔７に収容して、ラチェットハンドル１を緩み方向へ回転すると、六角ボルト１１はねじ穴から外されるに従ってねじ穴からの拘束がなくなり、磁石１６によりソケット６内に保持されるので、次の作業を行っても六角ボルト１１が脱落することはないのである。
【００２３】
このように構成された本実施の形態においては、エクステンションバー１２の差込角１３の端部に磁石１６を設けることにより、取付けあるいは取外す六角ボルト１１をソケット６内に保持することができるので、着脱作業時の六角ボルト１１の脱落を防止できる。特に、エクステンションバー１２は狭く複雑な箇所や離れた箇所の作業に用いるため、六角ボルト１１が脱落すると回収するのに時間と労力を要すので、この脱落防止の機能は作業効率を低下させないという点で効果が大きい。
しかも、磁石１６をエクステンションバー１２に設けているので既存のソケットおよびソケットレンチハンドルを利用して脱落防止機能を有するソケットレンチを提供することができる。
【００２４】
磁石１６の大きさ、種類および着脱方法については、図１および図２で説明したラチェットハンドル１に設けた磁石５と同様である。
また、本実施の形態では、磁石１６はエクステンションバー１２に設けているが、差込角と受口孔が自在ジョイントで接続されるジョイントと呼ばれるアタッチメントに設けてもよい。また、磁石１６は着脱可能なので、ジョイントや各種のソケットレンチハンドルと共用できる。さらに、使用しない時は磁石１６を外しておけば、砂鉄等の磁性体による本体への汚れの付着を防止できる。
【００２５】
【発明の効果】
以上説明したように、本発明の請求項１および請求項２に記載のソケットレンチハンドルにおいては、差込部の端部に設けた磁石の吸引作用によりボルトをソケット内に保持するので着脱時おけるボルトの脱落を防止することができる。また、磁石をソケットレンチハンドルに設けているので、既存のソケットを利用してボルトの脱落防止機能を有したソケットレンチを提供することができる。
【００２６】
また、特に、本発明の請求項２に記載のソケットレンチハンドルにおいては、磁石が着脱可能であるので、各種のソケットレンチハンドルとの共用が可能であり、また、取外して保管することで砂鉄等の本体への汚れの付着を防止することができる。
【００２７】
請求項３および請求項４に記載のソケットレンチハンドルのアタッチメントにおいては、差込部の端部に設けた磁石の吸引作用によりボルトをソケット内に保持するので着脱時におけるボルトの脱落を防止することができる。また、磁石をソケットレンチハンドルのアタッチメントに設けているので、既存のソケットおよびソケットレンチハンドルを利用してボルトの脱落防止機能を有したソケットレンチを提供することができる。
【００２８】
また、特に、本発明の請求項４に記載のソケットレンチハンドルのアタッチメントにおいては、磁石が着脱可能であるので各種アタッチメントとの共用が可能である。さらに、取外して保管することで砂鉄等の本体への汚れの付着を防止することができる。
【図面の簡単な説明】
【図１】本実施の形態に係るラチェットハンドルとソケットの外形図である。
【図２】本実施の形態に係るラチェットハンドルの使用時の断面図である。
【図３】本実施の形態に係るエクステンションバーの外形図である。
【図４】本実施の形態に係るエクステンションバーの使用時の断面図である。
【符号の説明】
１…ラチェットハンドル　２…頭部　３…ハンドル　４…差込角　５…磁石　６，６ａ，６ｂ，６ｃ…ソケット　７，７ａ，７ｂ，７ｃ…収容孔　８，８ａ，８ｂ，８ｃ…受口孔　９…ばね　１０…球体　１１…六角ボルト　１２…エクステンションバー　１３…差込角　１４…受口孔　１５…本体バー　１６…磁石　１７…ばね　１８…球体
【図１】
2004034206.tif 000003
【図２】
2004034206.tif 000004
【図３】
2004034206.tif 000005
【図４】
2004034206.tif 000006